(57)【要約】  ユーザの誤った接触を検出することを原因とする誤操作を低減する。機能を実行するカメラ（１２）と、上記カメラから所定の範囲内に配置された接触を検出するセンサ（１１）と、上記所定の範囲内に設定された複数の領域に対する上記接触に応じて、上記カメラの機能実行を制御するカメラ制御部（１３２）とを備えている電子機器。
2019003571.tif 000002
【特許請求の範囲】
【請求項１】
自機器に備えられた機能を実行する機能実行部と、
上記機能実行部から所定の範囲内に配置されたユーザの接触を検出するセンサと、
上記センサの検出値から、上記所定の範囲内に設定された複数の領域に対する上記接触を判定する接触判定部と、
上記複数の領域に対する上記接触に応じて、上記機能実行部の機能実行を制御する機能実行制御部と
を備えていることを特徴とする電子機器。
【請求項２】
上記電子機器は、一部に切欠きを含む形状のタッチパネルを備えており、
上記機能実行部は上記切欠き内に設置されており、
上記センサは上記タッチパネルの一部の領域によって構成されており、当該領域は上記切欠きを形成する上記タッチパネルの縁から所定の範囲内の領域であることを特徴とする請求項１に記載の電子機器。
【請求項３】
上記複数の領域のうち２つ以上の領域に対して同時の接触が行なわれた場合、上記機能実行制御部は上記機能実行部の機能実行を制御することを特徴とする請求項１または２に記載の電子機器。
【請求項４】
上記接触が第１の所定の時間の間継続した場合、上記機能実行制御部は上記機能実行部の機能実行を制御することを特徴とする請求項３に記載の電子機器。
【請求項５】
上記複数の領域のうち２つ以上の領域に対する同時の接触があった時点から第２の所定の時間内に上記複数の領域のうち２つ以上の領域に対する同時の接触が行なわれた場合、上記機能実行制御部は上記機能実行部の機能実行を制御することを特徴とする請求項３に記載の電子機器。
【請求項６】
自機器に備えられた機能を実行する機能実行部から所定の範囲内に配置された接触を検出するセンサの検出値から、上記所定の範囲内に設定された複数の領域に対する上記接触を判定する接触判定ステップと、
上記複数の領域に対する上記接触に応じて、上記機能実行部の機能実行を制御する機能実行制御ステップと、
を含むことを特徴とする電子機器の制御方法。
【請求項７】
請求項１に記載の電子機器としてコンピュータを機能させるためのプログラムであって、上記接触判定部および上記機能実行制御部としてコンピュータを機能させるためのプログラム。
【発明の詳細な説明】
【技術分野】
【０００１】
本発明は自機器に備えられた機能を実行するデバイスを備えている電子機器に関する。
【背景技術】
【０００２】
これまでに、情報端末が備えているデバイスの周辺にセンサを設け、デバイスの機能を実行するにあたり該センサの検出値を用いる技術が開発されている。例えば、特許文献１には、カメラの周囲において指の接触が検出された場合に、撮影画像に指が写り込んでいることを示す注意喚起を表示する携帯端末が開示されている。
【先行技術文献】
【特許文献】
【０００３】
【特許文献１】日本国公開特許公報「特開２０１１−２１７１０１号公報（２０１１年１０月２７日公開）」
【発明の概要】
【発明が解決しようとする課題】
【０００４】
しかしながら、特許文献１に開示されている指の接触を検出する構成では、ユーザが単にカメラのレンズの周囲に接触しただけで、指の接触が検出されてしまう。【０００５】
そのため、例えば、情報端末等に備わっているデバイスの周辺に対してユーザが接触することによって該デバイスに対する操作を行う構成に、特許文献１に開示されている接触を検出する構成を用いると以下のような問題が生じる。すなわち、ユーザが誤ってデバイス周辺に接触すると、該デバイスに対してユーザが意図していない操作が生じてしまうという問題が生じる。【０００６】
本発明は、前記の問題点に鑑みてなされたものであり、本発明の一態様は、ユーザの誤った接触を検出することを原因とする誤操作を低減することができる情報端末を実現することを目的とする。
【課題を解決するための手段】
【０００７】
上記の課題を解決するために、本発明の一態様に係る電子機器は、自機器に備えられた機能を実行する機能実行部と、上記機能実行部から所定の範囲内に配置されたユーザの接触を検出するセンサと、上記センサの検出値から、上記所定の範囲内に設定された複数の領域に対する上記接触を判定する接触判定部と、上記複数の領域に対する上記接触に応じて、上記機能実行部の機能実行を制御する機能実行制御部とを備えている。【０００８】
上記の課題を解決するために、本発明の一態様に係る電子機器の制御方法は、自機器に備えられた機能を実行する機能実行部から所定の範囲内に配置された接触を検出するセンサの検出値から、上記所定の範囲内に設定された複数の領域に対する上記接触を判定する接触判定ステップと、上記複数の領域に対する上記接触に応じて、上記機能実行部の機能実行を制御する機能実行制御ステップと、を含む。
【発明の効果】
【０００９】
本発明の一態様によれば、接触操作において、ユーザが意図せずに接触した場合の誤操作を低減するという効果を奏する。
【図面の簡単な説明】
【００１０】
【図１】本実施形態１に係る情報端末の要部構成を示すブロック図である。
【図２】（ａ）および（ｂ）は本実施形態１に係る情報端末の概要を示す図である。
【図３】本実施形態１に係る情報端末が実行する処理の流れの一例を示すフローチャートである。
【図４】本実施形態２に係る情報端末の要部構成を示すブロック図である。
【図５】本実施形態２に係る情報端末が実行する処理の流れの一例を示すフローチャートである。
【図６】本実施形態３に係る情報端末の要部構成を示すブロック図である。
【図７】本実施形態３に係る情報端末が実行する処理の流れの一例を示すフローチャートである。
【図８】参考の形態に係る情報端末の概要を示す図である。
【発明を実施するための形態】
【００１１】
〔実施形態１〕
以下、本発明の実施の形態について、図１から図３および図８を参照して詳細に説明する。
【００１２】
（情報端末１の概要）
まず、本実施形態に係る情報端末（電子機器）１の概要について、図２および図８を参照して説明する。図２は情報端末１の概要を示す図である。また、図８は参考の形態に係る情報端末１００の概要を示す図である。はじめに、図８を参照して参考の形態について説明する。図８に示すように、情報端末１００はタッチパネル１０２、センサ１１１およびカメラ１１２を備えている。タッチパネル１０２の形状は、切欠きＦ１００を含む形状である。センサ１１１およびカメラ１１２は切欠きＦ１００内に配置している。センサ１１１はユーザの指の接触を検出するセンサであり、カメラ１１２を囲むように配置されている。図８に示す×印は、カメラ１１２の周辺領域におけるユーザの接触点を示している。センサ１１１にてカメラ１１２の周辺領域におけるユーザの接触を検出した場合、情報端末１００はカメラ１１２による撮像を終了する。情報端末１００は、カメラ１１２の周辺領域の接触点の数、接触した領域等に関わらず、接触を検出するとカメラ１１２の撮像を終了する。
【００１３】
次に、図２を参照して本実施形態の情報端末１の概要について説明する。図２の（ａ）および（ｂ）は情報端末１の概要を示す図である。
【００１４】
図２に示すように、情報端末１はタッチパネル２、接触を検出するセンサ１１およびカメラ（機能実行部）１２を備えている。情報端末１は、例えば、タブレット型端末、スマートフォン等であってもよい。タッチパネル２の形状は、欠きＦ１を含む形状である。カメラ１２は切欠きＦ１内に配置している。図２に示す例では、タッチパネル２の一部の領域がセンサ１１として機能する（センサ１１はタッチパネル２の一部の領域によって構成されている）。詳細には、切欠きＦ１を形成するタッチパネル２の縁から所定の範囲内の領域のタッチパネル２がセンサ１１として機能する。換言すると、センサ１１はカメラ１２から所定の範囲内に配置されている。図２の（ａ）および（ｂ）に示すように、センサ１１が配置されている領域には、領域Ｒ１、領域Ｒ２および領域Ｒ３が設定されている。図２に示す例では、タッチパネル２の切欠きＦ１はコの字の形状である。タッチパネル２には、コの字の各辺を形成する縁から所定の範囲内の領域に、領域Ｒ１、領域Ｒ２および領域Ｒ３が設定されている。
【００１５】
図２の（ａ）に示すように、情報端末１においては、例えば、ユーザの指Ｕが領域Ｒ２のみ接触した場合にはカメラ１２による撮像を終了しない。一方で、図２の（ｂ）に示すように、ユーザの指Ｕが領域Ｒ１、領域Ｒ２および領域Ｒ３にて接触した場合、情報端末１はカメラ１２による撮像を終了する。例えば、カメラ１２をユーザが手で覆うとカメラ１２による撮像が終了する。なお、ユーザの指Ｕが領域Ｒ１、領域Ｒ２および領域Ｒ３のうち２つ以上の領域に接触した場合に、情報端末１はカメラ１２による撮像を終了する構成としてもよい。すなわち、情報端末１は、センサ１１の検出値から、所定の範囲内に設定された複数の領域に対する接触を判定し、複数の領域に対する接触に応じて、カメラ１２の機能実行を制御する。なお、上述の例においては、領域Ｒ１、領域Ｒ２および領域Ｒ３を切欠きＦ１を形成するタッチパネル２の辺毎に設定したが、該領域の設定は任意に行うことができる。また、情報端末１は、タッチパネル２がアクティブであるとき（通常モード：表示画面が表示されているとき）に、カメラ１２の機能実行を制御するように動作してもよい。また、情報端末１は、タッチパネル２がセーブモードのとき（表示画面が表示されていないとき）に、カメラ１２の機能実行を制御するように動作してもよい。
【００１６】
上記の構成によれば、カメラ１２から所定の範囲内に設定された複数の領域である領域Ｒ１、領域Ｒ２および領域Ｒ３に対する接触に応じてカメラ１２の機能実行を制御する。換言すると、所定の範囲内に設定された１つの領域のみの接触では、情報端末１はカメラ１２の機能実行を制御しない。そのため、ユーザがカメラ１２の機能実行の制御を意図せずにセンサ１１が配置している所定の範囲内に接触した場合においても、領域Ｒ１、領域Ｒ２および領域Ｒ３のうち複数の領域に対して接触していなければカメラ１２の機能実行の制御は行われない。従って、ユーザがカメラ１２の機能実行の制御を意図せずにセンサ１１が配置している範囲内を接触することによって生じる誤操作を低減することができる。
【００１７】
（情報端末１の構成）
次に、情報端末１の構成について、図１を参照して説明する。図１は、情報端末１の要部構成を示すブロック図である。図１に示すように、情報端末１は、タッチパネル２、センサ１１、カメラ１２、制御部１３および記憶部１４を備えている。
【００１８】
（タッチパネル２）
タッチパネル２は、表示画面に対するユーザの接触操作を受け付ける。特に本実施形態においては、タッチパネル２は形状を自由に設計することが可能なフリーフォームディスプレイである。
【００１９】
タッチパネル２は、例えば、表示デバイスとタッチパネルデバイスとを一体としたものである。ユーザは、表示部２０を指で触ることによって、表示部２０に表示されているアイコン等の操作、および画面のスクロール等を行うことができる。タッチパネル２の形状は、図２の（ａ）および（ｂ）に示すように、切欠きＦ１を含む形状である。
【００２０】
切欠きＦ１は、タッチパネル２の上部中央に形成されており、タッチパネル２の表示面の一部を切り欠くように形成されている。なお、図２の（ａ）および（ｂ）では、切欠きＦ１は、タッチパネル２の上部中央に形成されているが、切欠きＦ１がタッチパネル２の外縁の少なくとも１辺に形成されていれば、切欠きＦ１が形成される場所は特に限定されない。
【００２１】
例えば、切欠きＦ１は、タッチパネル２の上部左端に形成されてもよく、タッチパネル２の上部右端に形成されてもよいし、タッチパネル２の下部、左縁、または右縁に形成されていてもよい。また、切欠きＦ１は、タッチパネル２の上部中央から左または右にずれて形成されていてもよい。さらに、タッチパネル２に形成される切欠きＦ１の数は特に限定されない。例えば、切欠きＦ１は、タッチパネル２の上部に２つ以上形成されてもよい。切欠きＦ１の形状は、図２の（ａ）および（ｂ）ではコの字（切欠きの形状が正方形）の形状になっているが、特に限定されない。例えば、切欠きＦ１の形状は、半円状の形状であってもよいし、長方形であってもよい。
【００２２】
（センサ１１）
センサ１１は、ユーザの接触を検出する。本実施形態においては、図２の（ａ）および（ｂ）に示すように、タッチパネル２の一部がセンサ１１となっている。なお、センサ１１がタッチパネル２とは独立したセンサであってもよい。センサ１１はユーザの接触を検出できればよく特に限定されないが、例えば、静電容量を用いたセンサ、赤外線センサ等としてもよい。
【００２３】
また、センサ１１はカメラ１２の設置位置から所定の範囲内に配置している。ここで、センサ１１を配置する所定の範囲とは、例えば、カメラ１２の縁から２から３ｍｍまでの範囲としてもよい。センサ１１を配置する所定の範囲を、設計の都合に応じて適宜変更してもよい。センサ１１は検出値を入力操作判定部（接触判定部）１３１に送信する。
【００２４】
（カメラ１２）
カメラ１２は被写体を撮像する機能を実行する。カメラ１２はカメラ制御部（機能実行制御部）１３２の指示を受信し、当該指示に従い機能の実行を行う。また、図２の（ａ）に示すように、カメラ１２は切欠きＦ１内に設置されている。
【００２５】
（制御部１３）
制御部１３は情報端末１の各部を統括して制御する。制御部１３は入力操作判定部１３１およびカメラ制御部１３２を備えている。
【００２６】
（入力操作判定部１３１）
入力操作判定部１３１は、センサ１１の検出値から、センサ１１が配置している所定の範囲内に設定された複数の領域に対するユーザの接触を判定する。複数の領域とは、例えば、図２に示す領域Ｒ１、領域Ｒ２および領域Ｒ３等である。詳細には、入力操作判定部１３１は、複数の領域のうち２つ以上の領域に対して同時の接触が行なわれたか否かを判定する。さらに詳細に説明すると、入力操作判定部１３１は、記憶部１４に格納されているカメラ１２の起動状態を示すカメラ状態情報１４１を参照し、カメラ１２が起動している（カメラ１２が撮像処理を行っている）か否かを判定する。カメラ１２が起動している場合、入力操作判定部１３１は複数の領域のうち２つ以上の領域に対して同時の接触が行なわれたか否かを判定する。２つ以上の領域に対して同時の接触が行なわれた場合、入力操作判定部１３１はその旨をカメラ制御部１３２に送信する。
【００２７】
（カメラ制御部１３２）
カメラ制御部１３２はカメラ１２の機能実行を制御する。カメラ制御部１３２は複数の領域に対する接触に応じて、カメラ１２の機能実行を制御する。詳細には、複数の領域のうち２つ以上の領域に対して同時の接触が行なわれた場合、カメラ制御部１３２はカメラ１２（カメラ１２による撮像）を終了させる。また、カメラ制御部１３２はカメラ１２による撮像を終了させると、記憶部１４に格納されているカメラ状態情報１４１を更新する。
【００２８】
（情報端末１の処理の流れ）
次に図３を参照して、情報端末１の処理について説明する。図３は、情報端末１が実行する処理の流れの一例を示すフローチャートである。例えば、カメラ１２の周辺領域に対する接触操作の受付けが可能となった場合、情報端末１は当該処理を開始してもよい。例えば、カメラ１２を用いるアプリケーションが起動した場合に、情報端末１は当該処理を開始してもよい。図３に示すように、入力操作判定部１３１はカメラ１２が起動しているか否かを判定する（Ｓ１）。カメラ１２が起動している場合（Ｓ１にてＹＥＳ）、入力操作判定部１３１は複数の領域のうち２つ以上の領域に対して同時の接触が行なわれたか否かを判定する（Ｓ２：接触判定ステップ）。複数の領域のうち２つ以上の領域に対して同時の接触が行なわれた場合（Ｓ２にてＹＥＳ）、カメラ制御部１３２はカメラ１２（カメラ１２による撮像）を終了させ（Ｓ３：機能実行制御ステップ）、処理は終了する。なお、カメラ１２が起動していない場合（Ｓ１にてＮＯ）、処理は終了する。また、複数の領域のうち２つ以上の領域に対して同時の接触が行なわれなかった場合（Ｓ２にてＮＯ）、Ｓ２の処理が繰り返し行われる。
【００２９】
本実施形態においては、カメラ１２の制御について例を示した。一方で、本実施形態に示した構成をカメラ以外のデバイスの制御に適用してもよい。特に、直感的な操作である接触操作を適用できるようなデバイスの制御に適用することができる。
【００３０】
〔実施形態２〕
本発明の他の実施形態について、図４および図５に基づいて説明すれば、以下のとおりである。なお、説明の便宜上、前記実施形態にて説明した部材と同じ機能を有する部材については、同じ符号を付記し、その説明を省略する。本実施形態に係る情報端末１ｂは、長押し操作およびダブルタップ操作を判定し、カメラ１２の機能実行を制御する。
【００３１】
（情報端末１ｂの構成）
情報端末１ｂの構成について、図４を参照して説明する。図４は、情報端末１ｂの要部構成を示すブロック図である。図４に示すように、情報端末１ｂは、タッチパネル２、センサ１１、カメラ１２、制御部１３ｂ、記憶部１４およびタイマ１５ｂを備えている。タッチパネル２、センサ１１、カメラ１２および記憶部１４については、実施形態１にて詳細を説明したため、ここでの説明は省略する。
【００３２】
（制御部１３ｂ）
制御部１３ｂは入力操作判定部１３１ｂおよびカメラ制御部１３２ｂを備えている。
【００３３】
（入力操作判定部１３１ｂ）
入力操作判定部１３１ｂは上述の入力操作判定部１３１の処理に加えて以下の処理を行う。入力操作判定部１３１ｂは複数の領域のうち２つ以上の領域に対する接触が第１の所定の時間の間継続したか否かを判定する。すなわち、入力操作判定部１３１ｂは長押し操作が行われたか否かを判定する。また、入力操作判定部１３１ｂは、複数の領域のうち２つ以上の領域に対して同時に接触があった時点から第２の所定の時間内に、複数の領域のうち２つ以上の領域に対する同時の接触が再び行なわれたか否かを判定する。すなわち、入力操作判定部１３１ｂはダブルタップ操作が行われたか否かを判定する。入力操作判定部１３１ｂは時間の経過を示すタイマ１５ｂを参照し、上述の第１の所定の時間および第２の所定の時間の経過を判断する。より詳細に説明すると、入力操作判定部１３１ｂは、記憶部１４に格納されているカメラ１２の起動状態を示すカメラ状態情報１４１を参照し、カメラ１２が起動しているか否かを判定する。カメラ１２が起動している場合、入力操作判定部１３１は長押し操作が行われたか否かを判定する。また、カメラ１２が起動していない場合、入力操作判定部１３１はダブルタップ操作が行われたか否かを判定する。長押し操作またはダブルタップ操作が行われた場合、入力操作判定部１３１ｂは長押し操作またはダブルタップ操作が行われた旨をカメラ制御部１３２ｂに送信する。
【００３４】
（カメラ制御部１３２ｂ）
複数の領域のうち２つ以上の領域に対する接触が第１の所定の時間の間継続した（長押し操作が行われた）場合、カメラ制御部１３２ｂはカメラ１２の機能実行を制御する。本実施形態では、特に、長押し操作が行なわれた場合、カメラ制御部１３２ｂはカメラ１２（カメラ１２による撮像）を終了させる。
【００３５】
複数の領域のうち２つ以上の領域に対する同時の接触があった時点から第２の所定の時間内に、複数の領域のうち２つ以上の領域に対する同時の接触が行なわれた（ダブルタップ操作が行なわれた）場合、カメラ制御部１３２ｂはカメラ１２の機能実行を制御する。本実施形態では、特に、ダブルタップ操作が行なわれた場合、カメラ制御部１３２ｂはカメラ１２を起動させる（カメラ１２による撮像を開始させる）。すなわち、カメラ制御部１３２ｂは、長押し操作またはダブルタップ操作に対応したカメラ１２の機能の実行の制御を行う。
【００３６】
（情報端末１ｂの処理の流れ）
次に図５を参照して、情報端末１ｂの処理について説明する。図５は、情報端末１ｂが実行する処理の流れの一例を示すフローチャートである。Ｓ１およびＳ２の処理については実施形態１にて説明した処理と同様のため、ここでの詳細な説明は省略する。図５に示すように、カメラ１２が起動しており（Ｓ１にてＹＥＳ）、複数の領域のうち２つ以上の領域に対して同時の接触が行なわれた場合（Ｓ２にてＹＥＳ）、Ｓ１１に続く。入力操作判定部１３１ｂは２つ以上の領域に対する接触が第１の所定の時間の間継続したか否かを判定する（Ｓ１１：接触判定ステップ）。すなわち、Ｓ２からＳ１１では、入力操作判定部１３１ｂは長押し操作が行われたか否かを判定する。２つ以上の領域に対する接触が第１の所定の時間の間継続した場合（Ｓ１１にてＹＥＳ）、カメラ制御部１３２ｂはカメラ１２による撮像を終了させ（Ｓ３）、処理は終了する。なお、複数の領域のうち２つ以上の領域に対して同時の接触が行なわれなかった場合（Ｓ２にてＮＯ）または２つ以上の領域に対する接触が第１の所定の時間の間継続しなかった場合（Ｓ１１にてＮＯ）、処理はＳ２に戻る。
【００３７】
また、カメラ１２が起動していない場合（Ｓ１にてＮＯ）、入力操作判定部１３１は複数の領域のうち２つ以上の領域に対して同時の接触が行なわれたか否かを判定する（Ｓ１２：接触判定ステップ）。２つ以上の領域に対して同時の接触が行なわれた場合（Ｓ１２にてＹＥＳ）、入力操作判定部１３１ｂは、第２の所定の時間内に、複数の領域のうち２つ以上の領域に対する同時の接触が再び行なわれたか否かを判定する（Ｓ１３：接触判定ステップ）。すなわち、Ｓ１２からＳ１３では、入力操作判定部１３１ｂはダブルタップ操作が行われたか否かを判定する。換言すると、Ｓ１２からＳ１３にて、入力操作判定部１３１ｂは一定時間以内において、２つ以上の領域に対して接触、非接触および接触の一連の操作が行なわれたか否かをセンサ１１の検出値から判定する。第２の所定の時間内に、複数の領域のうち２つ以上の領域に対する同時の接触が再び行なわれた場合（Ｓ１３にてＹＥＳ）、カメラ制御部１３２ｂはカメラ１２を起動（カメラ１２による撮像を開始）させ（Ｓ１４：機能実行制御ステップ）、処理は終了する。なお、２つ以上の領域に対して同時の接触が行なわれなかった場合（Ｓ１２にてＮＯ）または第２の所定の時間内に、複数の領域のうち２つ以上の領域に対する同時の接触が行なわれなかった場合（Ｓ１３にてＮＯ）、処理はＳ１２に戻る。また、本処理は、カメラ１２の周辺領域に対する接触操作を受付けない状態となった場合に終了してもよい。例えば、カメラ１２を用いるアプリケーションが終了した場合に本処理が終了してもよい。また、Ｓ３およびＳ１４の処理が終了すると、Ｓ１の処理に戻る構成としてもよい。また、本処理におけるＳ２からＳ１１の処理と、Ｓ１２からＳ１３の処理とを入れ替えてもよい。すなわち、ダブルタップ操作が行なわれた場合にカメラ１２を終了し、長押し操作が行なわれた場合にカメラ１２を起動してもよい。
【００３８】
本実施形態においては、カメラ１２の起動および終了の制御について例を示した。他の例として、モバイルライトの点灯および消灯等に適用してもよい。特に、本実施形態の構成を直感的な操作である接触操作を適用できるようなデバイスの制御に適用することができる。
【００３９】
〔実施形態３〕
本発明の他の実施形態について、図６および図７に基づいて説明すれば、以下のとおりである。なお、説明の便宜上、前記実施形態にて説明した部材と同じ機能を有する部材については、同じ符号を付記し、その説明を省略する。本実施形態に係る情報端末１ｃは、マイク（機能実行部）１６ｃの機能の実行を制御する。
【００４０】
（情報端末１ｃの構成）
情報端末１ｃの構成について、図６を参照して説明する。図６は、情報端末１ｃの要部構成を示すブロック図である。図６に示すように、情報端末１ｃは、タッチパネル２、センサ１１、マイク１６ｃ、制御部１３ｃ、記憶部１４ｃおよびタイマ１５ｂを備えている。タッチパネル２およびタイマ１５ｂについては、実施形態１および２にて詳細を説明したため、ここでの説明は省略する。また、実施形態１および２のセンサ１１がカメラ１２の設置位置から所定の範囲内に配置しているのに対し、センサ１１ｃはマイク１６ｃの設置位置から所定の範囲内に配置している。センサ１１ｃのその他の構成はセンサ１１と同様である。
【００４１】
（マイク１６ｃ）
マイク１６ｃは音声を集音する。マイク１６ｃはマイク制御部（機能実行制御部）１３３ｃの指示を受信し、当該指示に従いミュート状態となる。また、実施形態１にて説明したカメラ１２と同様に、マイク１６ｃは図２の（ａ）に示す切欠きＦ１内に設置されていてもよい。
【００４２】
（制御部１３ｃ）
制御部１３ｃは、入力操作判定部１３１ｃおよびマイク制御部１３３ｃを備えている。
【００４３】
（入力操作判定部１３１ｃ）
入力操作判定部１３１ｃは、記憶部１４に格納されているマイク１６ｃの機能が有効であるか否か（ミュート状態であるか否か）を示すマイク状態情報１４２ｃを参照し、マイク１６ｃが有効であるか否かを判定する。マイク１６ｃの機能が有効である（集音を行っている）場合、入力操作判定部１３１ｃは、実施形態２の入力操作判定部１３１ｂと同様に、接触操作による長押し操作が行われたか否かを判定する。入力操作判定部１３１ｃは長押し操作が行われた場合、長押し操作が行われた旨をマイク制御部１３３ｃに送信する。
【００４４】
（マイク制御部１３３ｃ）
マイク制御部１３３ｃは、長押し操作が行なわれた場合、マイク１６ｃの機能実行を制御する。詳細には、長押し操作が行なわれた場合、マイク制御部１３３ｃはマイク１６ｃをミュートにする。また、マイク制御部１３３ｃはマイク１６ｃをミュートにすると、記憶部１４ｃに格納されているマイク状態情報１４２ｃを更新する。
【００４５】
（情報端末１ｃの処理の流れ）
次に図７を参照して、情報端末１ｃの処理について説明する。図７は、情報端末１ｃが実行する処理の流れの一例を示すフローチャートである。例えば、マイク１６ｃの周辺領域に対する接触操作の受付けが可能となった場合、情報端末１ｃは当該処理を開始してもよい。例えば、マイク１６ｃを用いるアプリケーションが起動した場合に、情報端末１ｃは当該処理を開始してもよい。図７に示すように、入力操作判定部１３１ｃはマイク１６ｃの機能が有効であるか否かを判定する（Ｓ２１）。マイク１６ｃの機能が有効である場合（Ｓ２１にてＹＥＳ）、入力操作判定部１３１ｃは複数の領域のうち２つ以上の領域に対して同時の接触が行なわれたか否かを判定する（Ｓ２２：接触判定ステップ）。複数の領域のうち２つ以上の領域に対して同時の接触が行なわれた場合（Ｓ２２にてＹＥＳ）、入力操作判定部１３１ｃは２つ以上の領域に対する接触が第１の所定の時間の間継続したか否かを判定する（Ｓ２３：接触判定ステップ）。すなわち、Ｓ２２からＳ２３では、入力操作判定部１３１ｃは長押し操作が行われたか否かを判定する。２つ以上の領域に対する接触が第１の所定の時間の間継続した場合（Ｓ２３にてＹＥＳ）、マイク制御部１３３ｃはマイク１６ｃの機能を無効（ミュート）し（Ｓ２４：機能実行制御ステップ）、処理は終了する。また、本処理は、マイク１６ｃの周辺領域に対する接触操作を受付けない状態となった場合に終了してもよい。例えば、マイク１６ｃを用いるアプリケーションが終了した場合に本処理が終了してもよい。また、Ｓ２１からＳ２４の処理が終了すると、Ｓ２１の処理に戻る構成としてもよい。
【００４６】
なお、複数の領域のうち２つ以上の領域に対して同時の接触が行なわれなかった場合（Ｓ２２にてＮＯ）または２つ以上の領域に対する接触が第１の所定の時間の間継続しなかった場合（Ｓ２３にてＮＯ）、処理はＳ２２に戻る。
【００４７】
本実施形態においては、マイク１６ｃのミュートの制御について例を示した。他の例として、スピーカの音量をＯＦＦにする制御に適用してもよい。特に本実施形態の構成を直感的な操作である接触操作を適用できるようなデバイスの制御に適用することができる。
【００４８】
〔ソフトウェアによる実現例〕
情報端末１、１ｂ、１ｃの制御ブロック（特に入力操作判定部１３１、入力操作判定部１３１ｂ、入力操作判定部１３１ｃ、カメラ制御部１３２、カメラ制御部１３２ｂおよびマイク制御部１３２ｃ）は、集積回路（ＩＣチップ）等に形成された論理回路（ハードウェア）によって実現してもよいし、ソフトウェアによって実現してもよい。
【００４９】
後者の場合、情報端末１、１ｂ、１ｃは、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５０】
〔まとめ〕
本発明の態様１に係る電子機器（情報端末１、１ｂ、１ｃ）は、自機器に備えられた機能を実行する機能実行部（カメラ１２、マイク１６ｃ）と、上記機能実行部から所定の範囲内に配置されたユーザの接触を検出するセンサ（１１）と、上記センサの検出値から、上記所定の範囲内に設定された複数の領域に対する上記接触を判定する接触判定部（入力操作判定部１３１、１３１ｂ、１３１ｃ）と、上記複数の領域に対する上記接触に応じて、上記機能実行部の機能実行を制御する機能実行制御部（カメラ制御部１３２、カメラ制御部１３２ｂ、マイク制御部１３２ｃ）とを備えている。
【００５１】
上記の構成によれば、機能実行部から所定の範囲内に設定された複数の領域に対する接触に応じて機能実行部の機能実行を制御する。換言すると、所定の範囲内に設定された１つの領域のみの接触では、機能実行制御部は機能実行を制御しない。そのため、ユーザが機能実行の制御を意図せずに所定の範囲内に接触した場合においても、所定の範囲内の複数の領域に対して接触していなければ機能実行は制御されない。従って、ユーザが機能実行の制御を意図せずに所定の範囲内を接触することによって生じる誤操作を低減することができる。
【００５２】
本発明の態様２に係る電子機器は、上記態様１において、上記電子機器は、一部に切欠きを含む形状のタッチパネル（２）を備えており、上記機能実行部は上記切欠き（Ｆ１）内に設置されており、上記センサは上記タッチパネルの一部の領域によって構成されており、当該領域は上記切欠きを形成する上記タッチパネルの縁から所定の範囲内の領域であってもよい。
【００５３】
上記の構成によれば、タッチパネルとセンサとを共通化できる。また、タッチパネルの切欠き内に機能実行部を備えている構成においては、ユーザが機能実行部から所定の範囲内を誤って接触する機会が多くなると考えられる。上記の構成によれば、所定の範囲内に設定された１つの領域のみの接触では、機能実行制御部は機能実行を制御しない。そのため、ユーザが機能実行部から所定の範囲内を誤って接触する機会が多くなると考えられる切欠き内に機能実行部を備えている構成においても、ユーザが機能実行の制御を意図せずに所定の範囲内を接触した場合の誤操作を低減することができる。
【００５４】
本発明の態様３に係る電子機器は、上記態様１または２において、上記複数の領域のうち２つ以上の領域に対して同時の接触が行なわれた場合、上記機能実行制御部は上記機能実行部の機能実行を制御してもよい。
【００５５】
上記の構成によれば、複数の領域のうち２つ以上の領域に対して同時の接触が行なわれた場合に、機能実行部による機能実行が制御される。換言すると、複数の領域のうち１つの領域のみに接触が行なわれた場合、機能実行部による機能実行は制御されない。また、２つ以上の領域に接触が行なわれたとしても該接触が同時でない場合、機能実行部による機能実行は制御されない。そのため、ユーザが機能実行の制御を意図せずに所定の範囲内を接触した場合の誤操作を低減することができる。
【００５６】
本発明の態様４に係る電子機器（情報端末１ｂ、情報端末１ｃ）は、上記態様３において、上記接触が第１の所定の時間の間継続した場合、上記機能実行制御部（カメラ制御部１３２ｂ、マイク制御部１３２ｃ）は上記機能実行部の機能実行を制御してもよい。上記の構成によれば、接触が第１の所定の時間の間継続した場合、機能実行部による機能実行が制御される。換言すると、接触が所定の時間の間継続しなかった場合、機能実行部による機能実行は制御されない。そのため、ユーザが機能実行の制御を意図せずに所定の範囲内を接触した場合の誤操作を低減することができる。
【００５７】
本発明の態様５に係る電子機器（情報端末１ｂ）は、上記態様３において、上記複数の領域のうち２つ以上の領域に対する同時の接触があった時点から第２の所定の時間内に上記複数の領域のうち２つ以上の領域に対する同時の接触が行なわれた場合、上記機能実行制御部（カメラ制御部１３２ｂ）は上記機能実行部の機能実行を制御してもよい。
【００５８】
上記の構成によれば、複数の領域のうち２つ以上の領域に対する同時の接触があった時点から第２の所定の時間内に複数の領域のうち２つ以上の領域に対する同時の接触が行なわれた場合、機能実行制御部は機能実行部の機能実行を制御する。換言すると、複数の領域のうち２つ以上の領域に対する同時の接触から第２の所定の時間内に複数の領域のうち２つ以上の領域に対する同時の接触がない場合、機能実行部による機能実行は制御されない。そのため、ユーザが機能実行の制御を意図せずに所定の範囲内を接触した場合の誤操作を低減することができる。
【００５９】
本発明の態様６に係る電子機器の制御方法は、自機器に備えられた機能を実行する機能実行部から所定の範囲内に配置された接触を検出するセンサの検出値から、上記所定の範囲内に設定された複数の領域に対する上記接触を判定する接触判定ステップ（Ｓ２、Ｓ１１、Ｓ１２、Ｓ１３、Ｓ２２、Ｓ２３）と、上記複数の領域に対する上記接触に応じて、上記機能実行部の機能実行を制御する機能実行制御ステップ（Ｓ３、Ｓ１４、Ｓ２４）と、を含む。上記の構成によれば、上記態様１と同様の効果を奏することができる。
【００６０】
本発明の各態様に係る電子機器は、コンピュータによって実現してもよく、この場合には、コンピュータを上記電子機器が備える各部（ソフトウェア要素）として動作させることにより上記電子機器をコンピュータにて実現させる電子機器の制御プログラム、およびそれを記録したコンピュータ読み取り可能な記録媒体も、本発明の範疇に入る。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１、１ｂ、１ｃ                                情報端末（電子機器）
２                                            タッチパネル
１１                                          センサ
１２                                          カメラ（機能実行部）
１６ｃ                                        マイク（機能実行部）
１３１、１３１ｂ、１３１ｃ                    入力操作判定部（接触判定部）
１３２、１３２ｂ                              カメラ制御部（機能実行制御部）
１３２ｃ                                      マイク制御部（機能実行制御部）
Ｆ１                                          切欠き
Ｓ２、Ｓ１１、Ｓ１２、Ｓ１３、Ｓ２２、Ｓ２３  接触判定ステップ
Ｓ３、Ｓ１４、Ｓ２４                          機能実行制御ステップ
【図１】
2019003571.tif 000003
【図２】
2019003571.tif 000004
【図３】
2019003571.tif 000005
【図４】
2019003571.tif 000006
【図５】
2019003571.tif 000007
【図６】
2019003571.tif 000008
【図７】
2019003571.tif 000009
【図８】
2019003571.tif 000010
【国際調査報告】
2019003571.tif 000011
2019003571.tif 000012
2019003571.tif 000013
2019003571.tif 000014
2019003571.tif 000015
2019003571.tif 000016